(57)【要約】【課題】  シートを固定する固定用の開孔部の破損を防止するために取り付ける合成樹脂製のハトメにおいて、強度が必要なところに使用でき、取付け作業も簡単にできるようにする。【解決手段】  表面が合成樹脂でラミネートされたシートに形成した固定用の開孔と略同径の開孔を備え、該シートの開孔縁に取付けて開孔部を補強する平板状の合成樹脂製のハトメであって、硬質の合成樹脂で形成すると共に、少なくともその片面に前記シート表面の合成樹脂に高周波溶着可能な樹脂層を一体成形する。【選択図】  図２
2012183245.tif 000002
【特許請求の範囲】
【請求項１】
表面が合成樹脂でラミネートされたシートに形成した固定用の開孔と略同径の開孔を備え、該シートの開孔縁に取付けて開孔部を補強する平板状の合成樹脂製のハトメであって、硬質の合成樹脂で形成すると共に、少なくともその片面に前記シート表面の合成樹脂に高周波溶着可能な樹脂層を一体成形してなることを特徴とする合成樹脂製のハトメ。
【請求項２】
平板状のハトメの両面にシート表面の合成樹脂に高周波溶着可能な樹脂層を一体成形してなることを特徴とする請求項１記載の合成樹脂製のハトメ。
【発明の詳細な説明】
【技術分野】
【０００１】
本発明は、テントシートや工事用の防音シート等のシートの周縁部に形成され、ロープを挿通したりフックを引っ掛けてシートを固定する固定用の開孔部の破損を防止するために取り付ける合成樹脂製のハトメに関するものである。
【背景技術】
【０００２】
一般に、ハトメは、上記テントシートや工事用の防音シート等のシート固定用の開孔に取付けるだけではなく、衣服や靴等、幅広い用途に使用され、また材質も金属製のものや合成樹脂製のものがある。そして、金属製のハトメは、反発弾性も小さく形状を保持する強度も大きいため、古くから幅広く使用されているものの、その加工やシートへの取付けに手間がかかるため、最近は合成樹脂製のハトメが数多く提案されている。
【０００３】
かかる合成樹脂製のハトメとしては、例えば下記特許文献１に示すように、合成樹脂製の雄部材と雌部材でハトメを構成し、両部材でシートを挟み込んで固定するものや、下記特許文献２に示すように、平板状の合成樹脂製ハトメの背面にホットメルト加工し、熱プレスによりストレッチ生地に加熱接着して固定するものが知られている。
【先行技術文献】
【特許文献】
【０００４】
【特許文献１】特開２００４−６０８５０号公報
【特許文献２】特開２００９−１１６１８号公報
【発明の概要】
【発明が解決しようとする課題】
【０００５】
しかしながら、特許文献１に示すハトメは、衣服や靴等の強い力が加わらないところに使用するときには問題が生じないが、合成樹脂製の雄部材と雌部材とを弾性係合させて両者の間にシートを挟み込んでいるだけなので、シート固定用の開孔に挿通したロープやフック等に強い力が加わると、ハトメが移動してシートの開孔縁が破損する恐れがある。
【０００６】
また、下記特許文献２に示すハトメは、ストレッチ生地に熱プレスで加熱接着するものであり、ストレッチ生地からの脱落を防止することは可能であるものの、ストレッチ生地に接着しているだけなので、ハトメに強い力が加わると接着が外れて、上記特許文献１と同様の問題が生ずる。
【０００７】
本発明は、上記課題に鑑みて、テントシートや工事用の防音シート等のハトメに強い力が加わり強度が必要なシートの殆どは、その生地の表面に樹脂がラミネートしてある点に着目して成したもので、その目的とするところは、強度が必要なところに使用できるハトメを提供することにある。
【課題を解決するための手段】
【０００８】
請求項１記載の発明は、表面が合成樹脂でラミネートされたシートに形成した固定用の開孔と略同径の開孔を備え、該シートの開孔縁に取付けて開孔部を補強する平板状の合成樹脂製のハトメであって、硬質の合成樹脂で形成すると共に、少なくともその片面に前記シート表面の合成樹脂に高周波溶着可能な樹脂層を一体成形してなることを特徴としたものである。
【０００９】
請求項２記載の発明は、平板状のハトメの両面にシート表面の合成樹脂に高周波溶着可能な樹脂層を一体成形してなることを特徴としたものである。
【発明の効果】
【００１０】
請求項１の構成により、ハトメとシートとは溶着されて一体化するので、テントシートや工事用の防音シート等に使用してハトメに強い力が加わっても、ハトメがシートから外れて移動することがなく、シート開孔縁の破損が防止できる。また、平板状のハトメをシートの所定の位置に高周波溶着した後に、固定用開孔を加工形成することもできるので、予め穿孔したシートとハトメの開孔位置を合わせて取付けるという煩わしい作業もなくなる。
【００１１】
請求項２の構成により、シートの周縁部を折り返して、その間にハトメの両面溶着できるので、シートを重ねて２重にした分ハトメ取付部のシートの強度が増加し、シート固定用のロープやフック等からのより強い力にも対応できる。
【図面の簡単な説明】
【００１２】
【図１】本発明の第１実施例のハトメを取り付けた状態を示す平面図
【図２】図１のＡ−Ａ断面拡大図
【図３】本発明の第２実施例のハトメを取り付けた状態を示す平面図
【図４】図２のＢ−Ｂ断面拡大図
【図５】本発明の第３実施例のハトメを取り付けた状態を示す平面図
【発明を実施するための形態】
【実施例１】
【００１３】
以下、本発明の第１実施例を図１および図２に基づいて説明する。１はテントシートや工事用の防音シート等のシートで、表面には軟質樹脂のＰＶＣがラミネートされ、その周縁部にシート固定用の開孔２が形成されている。
【００１４】
３は、例えばＰＶＣのような硬質の合成樹脂からなる平板状で円形に形成されたハトメで、中心には前記シート１の開孔２と略同径の開孔４が形成され、該開孔４にシート固定用のロープやフック等を挿通するようになっている。また、ハトメ３の片面には、例えば軟質のＰＶＣのような前記シート１の表面にラミネートされた樹脂と高周波溶着可能な樹脂層５をハトメ３と一体成形してハトメを構成している。
【００１５】
すなわち、強い力に対抗するためにハトメ３を硬質の合成樹脂で形成しているが、硬質の合成樹脂ではシート１の表面にラミネートされている樹脂と溶着できないので、該樹脂に高周波溶着可能な樹脂と硬質の合成樹脂との２層でハトメ１を構成しているのである。
【００１６】
而して、ハトメ３の製造に際しては、開孔４が形成されていない状態で樹脂層５を同時成形により一体成形してハトメ３を製造し、取付けに際しては、ハトメ３をシート１の表裏両面の所定の位置にセットして、シート１の表面樹脂層とハトメ３の樹脂層５とを高周波溶着し、その後シート１の開孔２とハトメ３の開孔４とを同時に穿孔する。
【００１７】
このように、シート１とハトメ３とを溶着して一体化するので、両者が強固に結合でき、ハトメ３に強い力が加わってもハトメ３がシート１より剥がれて移動してしまうことが防止できるのである。また、シート１の開孔２とハトメ３の開孔４とを最後に穿孔することもできるので、従来のように予め形成したシートの開孔とハトメの開孔とを合わせて取付けるという煩わしい作業がなくなり、取付け作業が効率よくできる。
【００１８】
なお、ハトメ３や樹脂層５の材料や取付け方法および形状は上記実施例に限定されるものではなく、また、上記実施例では、ハトメ３をシート１の表裏両面に取付けているが、ハトメ３の用途に応じて、シート１の片面だけに取付けるようにしてもよい。
【実施例２】
【００１９】
次に、本発明の第２実施例を図３および図４に基づいて説明する。本実施例は、シート６の周縁部を折り返して２重に構成し、その間にハトメ７を挿入して取付けるようにしたものである。
【００２０】
すなわち、平板状のハトメ７の両面に上記実施例１と同様の樹脂層８、８を一体成形し、シート６の折り返し部分にハトメ７を挿入し、ハトメ７の両面にシート６を高周波溶着した後、シート６の開孔９とハトメ７の開孔１０とを同時に穿孔する。
【００２１】
このようにシート６の周縁部を折り返して２重にすることにより、シート６のハトメ取付部の強度が増加し、シート固定用のロープやフック等からのより強い力にも対応できる効果を奏するのである。
【実施例３】
【００２２】
更に、本発明の第３実施例を図５に基づいて説明する。本実施例は、大きなテントシートや防音シート等のシートとは別個に、図５に示すような、細長い帯状のシート１１に、上記実施例１と同様に、開孔１３を形成したハトメ１２を取付けたものである。
【００２３】
大型のテントシートや防音シート等にハトメを直接取付ける作業は、シートが大き過ぎてハトメの取付け作業が困難であるが、上記のように、ハトメ１２を取付けた細長い帯状のシート１１を準備しておき、該シート１１を所望のテントシートや防音シートの周縁部に縫製や溶着等で取着けることにより、作業がし易くなるのである。
【符号の説明】
【００２４】
１、６、11    シート        
２、９        シートの開孔  
３、７、12    ハトメ    
４、10、13    ハトメの開孔    
５、８        樹脂層        
【図１】
2012183245.tif 000003
【図２】
2012183245.tif 000004
【図３】
2012183245.tif 000005
【図４】
2012183245.tif 000006
【図５】
2012183245.tif 000007